(57)【特許請求の範囲】
【請求項１】
固有の識別情報及び使用に関する条件を示す条件情報が記憶されたものであって、無線通信により外部に各種情報を送信するとともに外部から送信される情報を受信し記憶する無線式情報記憶媒体と、無線通信により前記無線式情報記憶媒体に対して情報を送信するとともにこの無線式情報記憶媒体から送信される情報を受信し、この受信された情報を基にして通行の可否判定を行い改札処理を行う第１及び第２の無線式自動改札装置と、無線通信により前記無線式情報記憶媒体に対して情報を送信するとともにこの無線式情報記憶媒体から送信される情報を受信する無線通信装置と、前記第１及び第２の無線式自動改札装置から送信される情報を受信し処理する情報処理装置とを含む無線通信システムにおいて、
前記無線式情報記憶媒体と前記第１の無線式自動改札装置との間の無線通信時に、
前記第１の無線式自動改札装置は、前記無線式情報記憶媒体に対して、この第１の無線式自動改札装置と交信があったことを示す第１の使用履歴情報を送信し、
前記無線式情報記憶媒体は、前記第１の使用履歴情報を受信し記憶し、
前記第１の無線式自動改札装置と前記情報処理装置との間の通信時に、
前記第１の無線式自動改札装置は、前記情報処理装置に対して、前記第１の使用履歴情報を送信し、
前記情報処理装置は、前記第１の使用履歴情報を受信し、
前記無線式情報記憶媒体と前記無線通信装置との間の無線通信時に、
前記無線通信装置は、前記無線式情報記憶媒体に対して、この無線通信装置と交信があったことを示す第２の使用履歴情報を送信し、
前記無線式情報記憶媒体は、前記第２の使用履歴情報を受信し記憶し、
前記無線式情報記憶媒体と前記第２の無線式自動改札装置との間の無線通信時に、
前記第２の無線式自動改札装置は、前記無線式情報記憶媒体に対して、この第２の無線式自動改札装置と交信があったことを示す第３の使用履歴情報を送信し、
前記無線式情報記憶媒体は、前記第３の使用履歴情報を受信し記憶し、前記第２の無線式自動改札装置に対して、この無線式情報記憶媒体に記憶された前記識別情報、前記条件情報、及び前記第２の使用履歴情報を送信し、
前記第２の無線式自動改札装置は、前記識別情報、前記条件情報、及び前記第２の使用履歴情報を受信し、前記条件情報、及び第２の使用履歴情報を基にして、通行の可否判定を行い改札処理を行い、
前記第２の無線式自動改札装置と前記情報処理装置との間の通信時に、
前記第２の無線式自動改札装置は、前記情報処理装置に対して、この第２の無線式自動改札装置で受信された前記識別情報及び前記第２の使用履歴情報、並びにこの第２の無線式自動改札装置から前記無線式情報記憶媒体に送信された前記第３の使用履歴情報を送信し、
前記情報処理装置は、前記識別情報及び前記第２の使用履歴情報並びに前記第３の使用履歴情報を受信する、
ことを特徴とする無線通信システム。
【請求項２】
固有の識別情報及び使用に関する条件を示す条件情報が記憶されたものであって、無線通信により外部に各種情報を送信するとともに外部から送信される情報を受信し記憶する無線式情報記憶媒体と、無線通信により前記無線式情報記憶媒体に対して情報を送信するとともにこの無線式情報記憶媒体から送信される情報を受信し、この受信された情報を基にして通行の可否判定を行い改札処理を行う第１及び第２の無線式自動改札装置と、無線通信により前記無線式情報記憶媒体に対して情報を送信するとともにこの無線式情報記憶媒体から送信される情報を受信する第１及び第２の無線通信装置と、前記第１及び第２の無線式自動改札装置から送信される情報を受信し処理する情報処理装置とを含む無線通信システムにおいて、
前記無線式情報記憶媒体と前記第１の無線式自動改札装置との間の無線通信時に、
前記第１の無線式自動改札装置は、前記無線式情報記憶媒体に対して、この第１の無線式自動改札装置と交信があったことを示す第１の使用履歴情報を送信し、
前記無線式情報記憶媒体は、前記第１の使用履歴情報を受信し記憶し、
前記第１の無線式自動改札装置と前記情報処理装置との間の通信時に、
前記第１の無線式自動改札装置は、前記情報処理装置に対して、前記第１の使用履歴情報を送信し、
前記情報処理装置は、前記第１の使用履歴情報を受信し、
前記無線式情報記憶媒体と前記第１の無線通信装置との間の無線通信時に、
前記第１の無線通信装置は、前記無線式情報記憶媒体に対して、この第１の無線通信装置と交信があったことを示す第２の使用履歴情報を送信し、
前記無線式情報記憶媒体は、前記第２の使用履歴情報を受信し記憶し、
前記無線式情報記憶媒体と前記第２の無線通信装置との間の無線通信時に、
前記第２の無線通信装置は、前記無線式情報記憶媒体に対して、この第２の無線通信装置と交信があったことを示す第３の使用履歴情報を送信し、
前記無線式情報記憶媒体は、前記第３の使用履歴情報を受信し記憶し、
前記無線式情報記憶媒体と前記第２の無線式自動改札装置との間の無線通信時に、
前記第２の無線式自動改札装置は、前記無線式情報記憶媒体に対して、この第２の無線式自動改札装置と交信があったことを示す第４の使用履歴情報を送信し、
前記無線式情報記憶媒体は、前記第４の使用履歴情報を受信し記憶し、前記第２の無線式自動改札装置に対して、この無線式情報記憶媒体に記憶された前記識別情報、前記条件情報、並びに前記第２及び第３の使用履歴情報を送信し、
前記第２の無線式自動改札装置は、前記識別情報、前記条件情報、並びに前記第２及び第３の使用履歴情報を受信し、受信された前記条件情報、及び第３の使用履歴情報を基にして、通行の可否判定を行い改札処理を行い、
前記第２の無線式自動改札装置と前記情報処理装置との間の通信時に、
前記第２の無線式自動改札装置は、前記情報処理装置に対して、この第２の無線式自動改札装置で受信された前記識別情報、前記第２及び第３の使用履歴情報、並びにこの第２の無線式自動改札装置から前記無線式情報記憶媒体に送信された前記第４の使用履歴情報を送信し、
前記情報処理装置は、前記識別情報、並びに前記第２、第３、及び第４の使用履歴情報を受信する、
ことを特徴とする無線通信システム。
【請求項３】
前記無線通信装置は、受信した使用履歴情報に基づき精算処理を行うための精算データ、及び受信された使用履歴情報に基づき精算処理を行うことを特徴とする請求項１、又は請求項２に記載の無線通信システム。
【請求項４】
固有の識別情報及び使用に関する条件を示す条件情報が記憶されたものであって、無線通信により外部に各種情報を送信するとともに外部から送信される情報を受信し記憶する無線式情報記憶媒体と、無線通信により前記無線式情報記憶媒体に対して情報を送信するとともにこの無線式情報記憶媒体から送信される情報を受信し、この受信された情報を基にして通行の可否判定を行い改札処理を行う第１及び第２の無線式自動改札装置と、無線通信により前記無線式情報記憶媒体に対して情報を送信するとともにこの無線式情報記憶媒体から送信される情報を受信する無線通信装置と、前記第１及び第２の無線式自動改札装置から送信される情報を受信し処理する情報処理装置とを含む無線通信システムにおいて、
前記無線式情報記憶媒体と前記第１の無線式自動改札装置との間の無線通信時に、
この第１の無線式自動改札装置からこの無線式情報記憶媒体に対して、この第１の無線式自動改札装置と交信があったことを示す第１の使用履歴情報を送信し、
この送信された前記第１の使用履歴情報を前記無線式情報記憶媒体で受信し、
この受信された前記第１の使用履歴情報を前記無線式情報記憶媒体に記憶し、
前記第１の無線式自動改札装置と前記情報処理装置との間の通信時に、
この第１の無線式自動改札装置から前記情報処理装置に対して、この第１の無線式自動改札装置から前記情報記憶媒体に送信された前記第１の使用履歴情報を送信し、
この送信された前記第１の使用履歴情報を前記情報処理装置で受信し、
前記無線式情報記憶媒体と前記無線通信装置との間の無線通信時に、
この無線通信装置からこの無線式情報記憶媒体に対して、この無線通信装置と交信があったことを示す第２の使用履歴情報を送信し、
この送信された前記第２の使用履歴情報を前記無線式情報記憶媒体で受信し、
この受信された前記第２の使用履歴情報を前記無線式情報記憶媒体に記憶し、
前記無線式情報記憶媒体と前記第２の無線式自動改札装置との間の無線通信時に、
この第２の無線式自動改札装置からこの無線式情報記憶媒体に対して、この第２の無線式自動改札装置と交信があったことを示す第３の使用履歴情報を送信し、
この送信された前記第３の使用履歴情報を前記無線式情報記憶媒体で受信し、
この受信された前記第３の使用履歴情報を前記無線式情報記憶媒体に記憶し、
この無線式情報記憶媒体からこの第２の無線式自動改札装置に対して、この無線式情報記憶媒体に記憶された前記識別情報、前記条件情報、及び前記第２の使用履歴情報を送信し、
この送信された前記識別情報、前記条件情報、及び前記第２の使用履歴情報を前記第２の無線式自動改札装置で受信し、
この受信された前記条件情報、及び第２の使用履歴情報を基にして改札処理を行い、
前記第２の無線式自動改札装置と前記情報処理装置との間の通信時に、
この第２の無線式自動改札装置から前記情報処理装置に対して、この第２の無線式自動改札装置で受信された前記識別情報及び前記第２の使用履歴情報、並びにこの第２の無線式自動改札装置から前記無線式情報記憶媒体に送信された前記第３の使用履歴情報を送信し、
この送信された前記識別情報及び前記第２の使用履歴情報並びに前記第３の使用履歴情報を前記情報処理装置で受信する、
ことを特徴とする無線通信方法。
【請求項５】
固有の識別情報及び使用に関する条件を示す条件情報が記憶されたものであって、無線通信により外部に各種情報を送信するとともに外部から送信される情報を受信し記憶する無線式情報記憶媒体と、無線通信により前記無線式情報記憶媒体に対して情報を送信するとともにこの無線式情報記憶媒体から送信される情報を受信し、この受信された情報を基にして通行の可否判定を行い改札処理を行う第１及び第２の無線式自動改札装置と、無線通信により前記無線式情報記憶媒体に対して情報を送信するとともにこの無線式情報記憶媒体から送信される情報を受信する第１及び第２の無線通信装置と、前記第１及び第２の無線式自動改札装置から送信される情報を受信し処理する情報処理装置とを含む無線通信システムにおいて、
前記無線式情報記憶媒体と前記第１の無線式自動改札装置との間の無線通信時に、
この第１の無線式自動改札装置からこの無線式情報記憶媒体に対して、この第１の無線式自動改札装置と交信があったことを示す第１の使用履歴情報を送信し、
この送信された前記第１の使用履歴情報を前記無線式情報記憶媒体で受信し、
この受信された前記第１の使用履歴情報を前記無線式情報記憶媒体に記憶し、
前記第１の無線式自動改札装置と前記情報処理装置との間の通信時に、
この第１の無線式自動改札装置から前記情報処理装置に対して、この第１の無線式自動改札装置から前記情報記憶媒体に送信された前記第１の使用履歴情報を送信し、
この送信された前記第１の使用履歴情報を前記情報処理装置で受信し、
前記無線式情報記憶媒体と前記第１の無線通信装置との間の無線通信時に、
この第１の無線通信装置からこの無線式情報記憶媒体に対して、この第１の無線通信装置と交信があったことを示す第２の使用履歴情報を送信し、
この送信された前記第２の使用履歴情報を前記無線式情報記憶媒体で受信し、
この受信された前記第２の使用履歴情報を前記無線式情報記憶媒体に記憶し、
前記無線式情報記憶媒体と前記第２の無線通信装置との間の無線通信時に、
この第２の無線通信装置からこの無線式情報記憶媒体に対して、この第２の無線通信装置と交信があったことを示す第３の使用履歴情報を送信し、
この送信された前記第３の使用履歴情報を前記無線式情報記憶媒体で受信し、
この受信された前記第３の使用履歴情報を前記無線式情報記憶媒体に記憶し、
前記無線式情報記憶媒体と前記第２の無線式自動改札装置との間の無線通信時に、
この第２の無線式自動改札装置からこの無線式情報記憶媒体に対して、この第２の無線式自動改札装置と交信があったことを示す第４の使用履歴情報を送信し、
この送信された前記第４の使用履歴情報を前記無線式情報記憶媒体で受信し、
この受信された前記第４の使用履歴情報を前記無線式情報記憶媒体に記憶し、
この無線式情報記憶媒体からこの第２の無線式自動改札装置に対して、この無線式情報記憶媒体に記憶された前記識別情報、前記条件情報、並びに前記第２及び第３の使用履歴情報を送信し、
この送信された前記識別情報、前記条件情報、並びに前記第２及び第３の使用履歴情報を前記第２の無線式自動改札装置で受信し、
この受信された前記条件情報、及び第３の使用履歴情報を基にして、改札処理を行い、
前記第２の無線式自動改札装置と前記情報処理装置との間の通信時に、
この第２の無線式自動改札装置から前記情報処理装置に対して、この第２の無線式自動改札装置で受信された前記識別情報、前記第２及び第３の使用履歴情報、並びにこの第２の無線式自動改札装置から前記無線式情報記憶媒体に送信された前記第４の使用履歴情報を送信し、
この送信された前記識別情報、並びに前記第２、第３、及び第４の使用履歴情報を前記情報処理装置で受信する、
ことを特徴とする無線通信方法。
【発明の詳細な説明】
【０００１】
【発明の属する技術分野】
この発明は、無線式情報記憶媒体と、第１及び第２の無線通信装置と、情報処理装置とを含む無線通信システム、及びこのシステムにおける無線通信方法に関する。
【０００２】
【従来の技術】
近年、無線カードにより改札処理を行う無線式自動改札システムの開発、研究が盛んに進められている。ここで、無線式自動改札システムの一例について簡単に説明する。
【０００３】
無線式自動改札システムにおける無線式自動改札装置は、無線カードに対して使用履歴情報を送信するようになっている。例えば、入場時には、無線式自動改札装置から無線カードに対して、どの駅の改札装置から入場したかを示す使用履歴情報が送信される。この送信された情報は、無線カードで受信され記憶される。また、出場時には、無線式自動改札装置から無線カードに対して、どの駅の改札装置から出場したかを示す使用履歴情報が送信される。この送信された情報も、同じく無線カードで受信され記憶される。
【０００４】
一方、無線カードは、無線式自動改札装置に対して前回の使用履歴情報及び予めカードに記憶されたカード識別番号を送信するようになっている。つまり、無線カードが正常に使用されていれば、無線カードから無線式自動改札装置に対して、入場時には前回出場の際に記録された使用履歴情報及びカード識別番号が、出場時には前回入場の際に記録された使用履歴情報及びカード識別番号が送信される。この無線カードから送信される前回の使用履歴情報は、無線式自動改札装置で受信され、この前回の使用履歴情報がチェックされ改札処理が行われる。例えば、入場時に無線カードから送信される前回の使用履歴情報に入場を示す情報が記録されている場合には、この無線カードを所持するユーザの入場は拒否されることになる。具体的には、無線式自動改札装置に設けられたドアにより通路が閉鎖される。
【０００５】
また、上記説明した無線式自動改札装置にはホストコンピュータが接続されており、このホストコンピュータにより無線カードによる入出場状況が管理される。無線式自動改札装置は、上記したように使用履歴情報を無線カードに送信するだけでなく、同時にこのホストコンピュータにも使用履歴情報を送信する。なお、このとき送信される使用履歴情報には、無線カードから送信されたカード識別番号が付与される。これにより、ホストコンピュータ側で、どのカードがどのように使用されたかを管理することができ、後日、カードユーザに対して使用料金を請求することができる。
【０００６】
【発明が解決しようとする課題】
ところが、上記システムには次のような問題点がある。
【０００７】
例えば、上記システムを採用しているＡ社の路線と、上記システムを採用していないＢ社の路線とが相互に乗り入れ運転を行っているとする。このような場合、例えば、Ａ社の路線から無線カードにより入場した者が、このカードでＢ社の路線では出場できないというような問題があった。つまり、Ｂ社の路線区間内の駅には、この無線カードに対応した無線式自動改札装置が設置されていないため、この無線カードが使用できないということである。
【０００８】
さらに、このような場合、仮にＢ社での出場時に現金精算としても、次回、この無線カードを使用する際には、係員に申し出てこの無線カードが使用できるようにこの無線カードに対して何らかの処理を施さなくてはならない。なぜなら、この無線カードには、出場したことを示す前回の履歴情報が記録されていないからである。
【０００９】
この発明の目的は、上記したような事情に鑑み成されたものであって、異なるシステム間での無線改札処理を可能とする無線通信システム及び無線通信方法を提供することにある。
【００１０】
【課題を解決するための手段】
上記課題を解決し目的を達成するために、この発明の無線通信システムは、以下のように構成されている。
【００１１】
この発明によれば、無線通信により外部に情報を送信するとともに外部から送信される情報を受信し記憶する無線式情報記憶媒体と、無線通信により外部に情報を送信するとともに外部から送信される情報を受信する第１の無線通信装置と、この第１の無線通信装置と異なる無線通信装置であって、無線通信により外部に情報を送信するとともに外部から送信される情報を受信する第２の無線通信装置と、前記第１の無線通信装置から送信される情報を受信し処理する情報処理装置とを含む無線通信システムにおいて、前記無線式情報記憶媒体と前記第２の無線通信装置との間の無線通信時に、この第２の無線通信装置からこの無線式情報記憶媒体に対して情報を送信する第１の情報送信手段と、この第１の情報送信手段により送信された前記情報を前記無線式情報記憶媒体で受信する第１の情報受信手段と、この第１の情報受信手段により受信された前記情報を前記無線式情報記憶媒体に記憶する記憶手段と、前記無線式情報記憶媒体と前記第１の無線通信装置との間の無線通信時に、この無線式情報記憶媒体からこの第１の無線通信装置に対して、この無線式情報記憶媒体に記憶された前記情報を送信する第２の情報送信手段と、この第２の情報送信手段により送信された前記情報を前記第１の無線通信装置で受信する第２の情報受信手段と、前記第１の無線通信装置と前記情報処理装置との間の通信時に、この第１の無線通信装置からこの情報処理装置に対して、この第１の無線通信装置で受信された前記情報を送信する第３の情報送信手段と、この第３の情報送信手段により送信された前記情報を前記情報処理装置で受信する第３の情報受信手段とを備えた無線通信システムが提供される。この発明によれば、無線通信により外部に情報を送信するとともに外部から送信される情報を受信し記憶する無線式情報記憶媒体と、無線通信により前記無線式情報記憶媒体に対して情報を送信するとともにこの無線式情報記憶媒体から送信される情報を受信し、この受信された情報を基にして通行の可否判定を行い改札処理を行う無線式自動改札装置と、無線通信により前記無線式情報記憶媒体に対して情報を送信するとともにこの無線式情報記憶媒体から送信される情報を受信する無線通信装置と、前記無線式自動改札装置から送信される情報を受信し処理する情報処理装置とを含む無線通信システムにおいて、前記無線式情報記憶媒体と前記無線通信装置との間の無線通信時に、この無線通信装置からこの無線式情報記憶媒体に対して、この無線通信装置と交信があったことを示す使用履歴情報を送信する第１の情報送信手段と、この第１の情報送信手段により送信された前記使用履歴情報を前記無線式情報記憶媒体で受信する第１の情報受信手段と、この第１の情報受信手段により受信された前記使用履歴情報を前記無線式情報記憶媒体に記憶する記憶手段と、前記無線式情報記憶媒体と前記無線式自動改札装置との間の無線通信時に、この無線式情報記憶媒体からこの無線式自動改札装置に対して、この無線式情報記憶媒体に記憶された前記使用履歴情報を送信する第２の情報送信手段と、この第２の情報送信手段により送信された前記使用履歴情報を前記無線式自動改札装置で受信する第２の情報受信手段と、前記無線式自動改札装置と前記情報処理装置との間の通信時に、この無線式自動改札装置から前記情報処理装置に対して、この無線式自動改札装置で受信された前記使用履歴情報を送信する第３の情報送信手段と、この第３の情報送信手段により送信された前記使用履歴情報を前記情報処理装置で受信する第３の情報受信手段とを備えた無線通信システムが提供される。
【００１２】
この発明によれば、固有の識別情報及び使用に関する条件を示す条件情報が記憶されたものであって、無線通信により外部に各種情報を送信するとともに外部から送信される情報を受信し記憶する無線式情報記憶媒体と、無線通信により前記無線式情報記憶媒体に対して情報を送信するとともにこの無線式情報記憶媒体から送信される情報を受信し、この受信された情報を基にして通行の可否判定を行い改札処理を行う無線式自動改札装置と、無線通信により前記無線式情報記憶媒体に対して情報を送信するとともにこの無線式情報記憶媒体から送信される情報を受信する無線通信装置と、前記無線式自動改札装置から送信される情報を受信し処理する情報処理装置とを含む無線通信システムにおいて、前記無線式情報記憶媒体と前記無線通信装置との間の無線通信時に、この無線通信装置からこの無線式情報記憶媒体に対して、この無線通信装置と交信があったことを示す第１の使用履歴情報を送信する第１の情報送信手段と、この第１の情報送信手段により送信された前記第１の使用履歴情報を前記無線式情報記憶媒体で受信する第１の情報受信手段と、この第１の情報受信手段により受信された前記第１の使用履歴情報を前記無線式情報記憶媒体に記憶する第１の記憶手段と、前記無線式情報記憶媒体と前記無線式自動改札装置との間の無線通信時に、この無線式自動改札装置からこの無線式情報記憶媒体に対して、この無線式自動改札装置と交信があったことを示す第２の使用履歴情報を送信する第２の情報送信手段と、この第２の情報送信手段により送信された前記第２の使用履歴情報を前記無線式情報記憶媒体で受信する第２の情報受信手段と、この第２の情報受信手段により受信された前記第２の使用履歴情報を前記無線式情報記憶媒体に記憶する第２の記憶手段と、この無線式情報記憶媒体からこの無線式自動改札装置に対して、この無線式情報記憶媒体に記憶された前記識別情報、前記条件情報、及び前記第１の使用履歴情報を送信する第３の情報送信手段と、この第３の情報送信手段により送信された前記識別情報、前記条件情報、及び第１の使用履歴情報を前記無線式自動改札装置で受信する第３の情報受信手段と、この第３の情報受信手段により受信された前記条件情報及び第１の使用履歴情報を基にして、通行の可否判定を行い改札処理を行う改札手段と、前記無線式自動改札装置と前記情報処理装置との間の通信時に、この無線式自動改札装置から前記情報処理装置に対して、この無線式自動改札装置で受信された前記識別情報及び前記第１の使用履歴情報、並びにこの無線式自動改札装置から前記無線式情報記憶媒体に送信された前記第２の使用履歴情報を送信する第４の情報送信手段と、この第４の情報送信手段により送信された前記識別情報及び前記第１の使用履歴情報並びに前記第２の使用履歴情報を前記情報処理装置で受信する第４の情報受信手段とを備えた無線通信システムが提供される。
【００１３】
この発明にれば、固有の識別情報及び使用に関する条件を示す条件情報が記憶されたものであって、無線通信により外部に各種情報を送信するとともに外部から送信される情報を受信し記憶する無線式情報記憶媒体と、無線通信により前記無線式情報記憶媒体に対して情報を送信するとともにこの無線式情報記憶媒体から送信される情報を受信し、この受信された情報を基にして通行の可否判定を行い改札処理を行う第１及び第２の無線式自動改札装置と、無線通信により前記無線式情報記憶媒体に対して情報を送信するとともにこの無線式情報記憶媒体から送信される情報を受信する無線通信装置と、前記第１及び第２の無線式自動改札装置から送信される情報を受信し処理する情報処理装置とを含む無線通信システムにおいて、前記無線式情報記憶媒体と前記第１の無線式自動改札装置との間の無線通信時に、この第１の無線式自動改札装置からこの無線式情報記憶媒体に対して、この第１の無線式自動改札装置と交信があったことを示す第１の使用履歴情報を送信する第１の情報送信手段と、この第１の情報送信手段により送信された前記第１の使用履歴情報を前記無線式情報記憶媒体で受信する第１の情報受信手段と、この第１の情報受信手段により受信された前記第１の使用履歴情報を前記無線式情報記憶媒体に記憶する第１の記憶手段と、前記第１の無線式自動改札装置と前記情報処理装置との間の通信時に、この第１の無線式自動改札装置から前記情報処理装置に対して、この第１の無線式自動改札装置から前記情報記憶媒体に送信された前記第１の使用履歴情報を送信する第２の情報送信手段と、この第２の情報送信手段により送信された前記第１の使用履歴情報を前記情報処理装置で受信する第２の情報受信手段と、前記無線式情報記憶媒体と前記無線通信装置との間の無線通信時に、この無線通信装置からこの無線式情報記憶媒体に対して、この無線通信装置と交信があったことを示す第２の使用履歴情報を送信する第３の情報送信手段と、この第３の情報送信手段により送信された前記第２の使用履歴情報を前記無線式情報記憶媒体で受信する第３の情報受信手段と、この第３の情報受信手段により受信された前記第３の使用履歴情報を前記無線式情報記憶媒体に記憶する第２の記憶手段と、前記無線式情報記憶媒体と前記第２の無線式自動改札装置との間の無線通信時に、この第２の無線式自動改札装置からこの無線式情報記憶媒体に対して、この第２の無線式自動改札装置と交信があったことを示す第３の使用履歴情報を送信する第４の情報送信手段と、この第４の情報送信手段により送信された前記第３の使用履歴情報を前記無線式情報記憶媒体で受信する第４の情報受信手段と、この第４の情報受信手段により受信された前記第３の使用履歴情報を前記無線式情報記憶媒体に記憶する第３の記憶手段と、この無線式情報記憶媒体からこの第２の無線式自動改札装置に対して、この無線式情報記憶媒体に記憶された前記識別情報、前記条件情報、及び前記第２の使用履歴情報を送信する第５の情報送信手段と、この第５の情報送信手段により送信された前記識別情報、前記条件情報、及び前記第２の使用履歴情報を前記第２の無線式自動改札装置で受信する第５の情報受信手段と、この第５の情報受信手段により受信された前記条件情報、及び第２の使用履歴情報を基にして、通行の可否判定を行い改札処理を行う改札手段と、前記第２の無線式自動改札装置と前記情報処理装置との間の通信時に、この第２の無線式自動改札装置から前記情報処理装置に対して、この第２の無線式自動改札装置で受信された前記識別情報及び前記第２の使用履歴情報、並びにこの第２の無線式自動改札装置から前記無線式情報記憶媒体に送信された前記第３の使用履歴情報を送信する第６の情報送信手段と、この第６の情報送信手段により送信された前記識別情報及び前記第２の使用履歴情報並びに前記第３の使用履歴情報を前記情報処理装置で受信する第６の情報受信手段とを備えた無線通信システムが提供される。
【００１４】
この発明によれば、固有の識別情報及び使用に関する条件を示す条件情報が記憶されたものであって、無線通信により外部に各種情報を送信するとともに外部から送信される情報を受信し記憶する無線式情報記憶媒体と、無線通信により前記無線式情報記憶媒体に対して情報を送信するとともにこの無線式情報記憶媒体から送信される情報を受信し、この受信された情報を基にして通行の可否判定を行い改札処理を行う第１及び第２の無線式自動改札装置と、無線通信により前記無線式情報記憶媒体に対して情報を送信するとともにこの無線式情報記憶媒体から送信される情報を受信する第１及び第２の無線通信装置と、前記第１及び第２の無線式自動改札装置から送信される情報を受信し処理する情報処理装置とを含む無線通信システムにおいて、前記無線式情報記憶媒体と前記第１の無線式自動改札装置との間の無線通信時に、この第１の無線式自動改札装置からこの無線式情報記憶媒体に対して、この第１の無線式自動改札装置と交信があったことを示す第１の使用履歴情報を送信する第１の情報送信手段と、この第１の情報送信手段により送信された前記第１の使用履歴情報を前記無線式情報記憶媒体で受信する第１の情報受信手段と、この第１の情報受信手段により受信された前記第１の使用履歴情報を前記無線式情報記憶媒体に記憶する第１の記憶手段と、前記第１の無線式自動改札装置と前記情報処理装置との間の通信時に、この第１の無線式自動改札装置から前記情報処理装置に対して、この第１の無線式自動改札装置から前記情報記憶媒体に送信された前記第１の使用履歴情報を送信する第２の情報送信手段と、この第２の情報送信手段により送信された前記第１の使用履歴情報を前記情報処理装置で受信する第２の情報受信手段と、前記無線式情報記憶媒体と前記第１の無線通信装置との間の無線通信時に、この第１の無線通信装置からこの無線式情報記憶媒体に対して、この第１の無線通信装置と交信があったことを示す第２の使用履歴情報を送信する第３の情報送信手段と、この第３の情報送信手段により送信された前記第２の使用履歴情報を前記無線式情報記憶媒体で受信する第３の情報受信手段と、この第３の情報受信手段により受信された前記第２の使用履歴情報を前記無線式情報記憶媒体に記憶する第２の記憶手段と、前記無線式情報記憶媒体と前記第２の無線通信装置との間の無線通信時に、この第２の無線通信装置からこの無線式情報記憶媒体に対して、この第２の無線通信装置と交信があったことを示す第３の使用履歴情報を送信する第４の情報送信手段と、この第４の情報送信手段により送信された前記第３の使用履歴情報を前記無線式情報記憶媒体で受信する第４の情報受信手段と、この第４の情報受信手段により受信された前記第３の使用履歴情報を前記無線式情報記憶媒体に記憶する第４の記憶手段と、前記無線式情報記憶媒体と前記第２の無線式自動改札装置との間の無線通信時に、この第２の無線式自動改札装置からこの無線式情報記憶媒体に対して、この第２の無線式自動改札装置と交信があったことを示す第４の使用履歴情報を送信する第５の情報送信手段と、この第５の情報送信手段により送信された前記第４の使用履歴情報を前記無線式情報記憶媒体で受信する第５の情報受信手段と、この第５の情報受信手段により受信された前記第４の使用履歴情報を前記無線式情報記憶媒体に記憶する第４の記憶手段と、この無線式情報記憶媒体からこの第２の無線式自動改札装置に対して、この無線式情報記憶媒体に記憶された前記識別情報、前記条件情報、並びに前記第２及び第３の使用履歴情報を送信する第６の情報送信手段と、この第６の情報送信手段により送信された前記識別情報、前記条件情報、並びに前記第２及び第３の使用履歴情報を前記第２の無線式自動改札装置で受信する第６の情報受信手段と、この第６の情報受信手段により受信された前記条件情報、及び第３の使用履歴情報を基にして、通行の可否判定を行い改札処理を行う改札手段と、前記第２の無線式自動改札装置と前記情報処理装置との間の通信時に、この第２の無線式自動改札装置から前記情報処理装置に対して、この第２の無線式自動改札装置で受信された前記識別情報、前記第２及び第３の使用履歴情報、並びにこの第２の無線式自動改札装置から前記無線式情報記憶媒体に送信された前記第４の使用履歴情報を送信する第７の情報送信手段と、この第７の情報送信手段により送信された前記識別情報、並びに前記第２、第３、及び第４の使用履歴情報を前記情報処理装置で受信する第７の情報受信手段とを備えた無線通信システムが提供される。
【００１５】
この発明によれば、無線通信により外部に情報を送信するとともに外部から送信される情報を受信し記憶する無線式情報記憶媒体と、無線通信により前記無線式情報記憶媒体に対して情報を送信するとともにこの無線式情報記憶媒体から送信される情報を受信し、この受信された情報を基にして通行の可否判定を行い改札処理を行う無線式自動改札装置と、無線通信により前記無線式情報記憶媒体に対して情報を送信するとともにこの無線式情報記憶媒体から送信される情報を受信する無線通信装置と、前記無線式自動改札装置から送信される情報を受信し処理する情報処理装置とを含む無線通信システムにおいて、前記無線式情報記憶媒体と前記無線通信装置との間の無線通信時に、この無線通信装置からこの無線式情報記憶媒体に対して、この無線通信装置と交信があったことを示す使用履歴情報を送信する第１の情報送信手段と、この第１の情報送信手段により送信された前記使用履歴情報を前記無線式情報記憶媒体で受信する第１の情報受信手段と、この第１の情報受信手段により受信された前記使用履歴情報を前記無線式情報記憶媒体に記憶する記憶手段と、前記無線式情報記憶媒体と前記無線式自動改札装置との間の無線通信時に、この無線式情報記憶媒体からこの無線式自動改札装置に対して、この無線式情報記憶媒体に記憶された前記使用履歴情報を送信する第２の情報送信手段と、この第２の情報送信手段により送信された前記使用履歴情報を前記無線式自動改札装置で受信する第２の情報受信手段と、前記無線式自動改札装置と前記情報処理装置との間の通信時に、この無線式自動改札装置から前記情報処理装置に対して、この無線式自動改札装置で受信された前記使用履歴情報を送信する第３の情報送信手段と、この第３の情報送信手段により送信された前記使用履歴情報を前記情報処理装置で受信する第３の情報受信手段とを備え、さらに、前記無線通信装置が、この無線通信装置で受信された使用履歴情報に基づき精算処理を行うための精算データを記憶する記憶手段と、この記憶手段に記憶された精算データ及び受信された使用履歴情報に基づき精算処理を行う精算手段とを備えた無線通信システムが提供される。
【００１６】
上記手段を講じた結果、次のような作用が生じる。
【００１７】
この発明の無線通信システム（無線通信方法）においては、第２の無線通信装置（無線式カードリーダライタ５００）から無線式情報記憶媒体（無線カード１００）に対して送信されこの無線式情報記憶媒体に記憶された情報（Ｂ社における使用履歴情報）が、第１の無線通信装置（無線式自動改札装置２００）を介して情報処理装置で受信される。
【００１８】
【発明の実施の形態】
以下、この発明の一実施の形態について図面を参照して説明する。
【００１９】
図１は、この発明の無線通信システムを利用した無線式自動改札システムの概略を示す図である。また、ここでは、Ａ社及びＢ社を想定して説明する。これらＡ社とＢ社とは異なる会社ではあるが、このＡ社の路線とＢ社の路線とは相互に乗り入れが行われているものとする。
【００２０】
この無線通信システムは、図１に示すように、無線式情報記憶媒体としての無線カード１００、この無線カード１００に対応した無線式自動改札装置２００、この無線式自動改札装置２００を含む各種駅務機器を制御管理する駅制御装置３００、この駅制御装置３００を介して送られる無線式自動改札装置２００からの情報を基にして運賃等の精算処理を行う精算処理装置としてのホストコンピュータ４００、及び無線カード１００に対応した無線通信装置としての無線式カードリーダライタ５００等を備えている。
【００２１】
このうち、無線式自動改札装置２００、駅制御装置３００、ホストコンピュータ４００は、Ａ社に属するものとする。無線式カードリーダライタ５００はＢ社に属するものとする。また、無線カード１００は、Ａ社に設置された無線式自動改札装置２００、及びＢ社に設置された無線式カードリーダライタ５００に対応しており、夫々との間で無線通信が可能である。
【００２２】
続いて、図２〜図６を参照して、無線カード１００、無線式自動改札装置２００、無線式カードリーダライタ５００について説明する。図２は、無線カード１００の概略構成を示す図である。図３は、無線式自動改札装置２００の外観を示す図である。図４は、無線式自動改札装置２００の概略構成を示す図である。図５は、無線式カードリーダライタ５００の外観を示す図である。図６は、無線カードリーダライタの概略構成を示す図である。
【００２３】
無線カード１００は、図２に示すように、このカードの各種制御を司るＣＰＵ１０２、各種データを記憶するメモり１０４、アンテナ１０６、スイッチ１０８、変調／復調部１１０、入出力制御部１１２、整流部１１４、及び蓄電池１１６等を備えている。
【００２４】
アンテナ１０６は、無線式自動改札装置２００及び無線式カードリーダライタ５００のアンテナとの間で電波による各種情報の送受信を担うものである。スイッチ１０８は、アンテナ１０６と変調／復調部１１０又は整流部１１４とを選択的に切り換え接続するものであり、ＣＰＵ１０２により制御される。変調／復調部１１０は、送信信号の変調及び受信信号の復調を担うものである。入力制御部１１２は、変調前の送信信号及び復調後の受信信号を規定のデータに変換する処理を担うものである。整流部１１４は、アンテナ１０６を介して受信された充電電波を整流して電気エネルギに変換し、この電気エネルギを蓄電池１１６へ送るものである。蓄電池１１６は、整流部１１４から送られる電気エネルギを蓄積（充電）し、カードの各部に動作電圧を供給する動作電源である。
【００２５】
無線式自動改札装置２００は、無線カード１００から無線通信により送信される情報を受信し、この受信された無線カード１００からの情報を基にして通行の可否判定を行い改札処理及び集札処理を行うものである。この無線式自動改札装置２００は、図３に示すように、無線カード１００との間の無線通信時に無線カードがかざされる通信エリア２０２、各種案内が表示される第１表示部２０４、同じく各種案内が表示される第２表示部２０６、通行を阻止するためのドア２０８、及び通過する人間を検知する複数の検知器２１０等を備えている。通信エリア２０２は、無線カード１００と通信を行うためのエリアであり、このエリアの近傍にかざされた無線カード１００との間で通信が可能となる。
【００２６】
また、無線式自動改札装置２００は、図４に示すＣＰＵ２２０により全体が制御されるようになっている。このＣＰＵ２２０には、ＣＰＵ２２０の制御プログラム等を記憶するＲＯＭ２２２、無線カード１００から送信された情報を記憶するＲＡＭ２２４、無線カード１００から送信された情報を基に通行の可否判定を行う通行判定部２２６、検知センサ２１０から出力される信号を基に人間の通過を検知する検知部２２８、通行判定結果に応じてドア２０８を開閉駆動させるドア開閉機構２３０を制御するドア制御部２３２、第１表示部２０４及び第２表示部２０６の表示制御を司る表示制御部２３４、無線カードとの間の無線通信を担う無線通信部２３６、駅制御装置３００と接続するためのインターフェース２３８等が接続されている。
【００２７】
無線通信部２３６は、この無線通信部の各種制御を司るＣＰＵ２３６ａ、各種データを記憶するメモリ２３６ｂ、アンテナ２３６ｃ、変調／復調部２３６ｄ、入出力制御部２３６ｅ等を備えている。アンテナ２３６ｃは、無線カードとの間で電波による各種情報の送受信を担うものであり、通信エリア２０２の近傍に設けられている。変調／復調部２３６ｄは、送信信号の変調及び受信信号の復調を担うものである。入力制御部２３８ｅは、変調前の送信信号及び復調後の受信信号を規定のデータに変換する処理を担うものである。
【００２８】
駅制御装置３００は、無線式自動改札装置２００を含む複数の自動改札装置と接続され、これら自動改札装置を制御するとともに、これら自動改札装置の稼働状況を管理する。また、無線式自動改札装置２００から送信される各種情報を受け取り、ホストコンピュータ４００への送信も行う。
【００２９】
管理センターに設けられたホストコンピュータ４００には、精算処理部４０２、及びインターフェース４０４が設けられている。精算処理部４０２は、無線式自動改札装置から送られてきた情報（後述するカード情報及び使用履歴情報）を基にして精算処理を行う。インターフェース４０４は、駅制御装置３００と情報の送受信を行うものであり、このインターフェースにより駅制御装置３００を介して無線式自動改札装置２００からの情報が受け取られる。
【００３０】
無線式カードリーダライタ５００には、図５に示すように、操作部５１０、表示部５１２、アンテナ５１４等が設けられている。操作部５１０には、本体電源のオン／オフを行うための電源スイッチ５１０ａ、無線カード１００の種別等の判定処理を指示する判定ボタン５１０ｂ、無線カード１００から読み取られたデータを表示部５１２へ表示させる読取データ表示ボタン５１０ｃ、前記判定処理による異常内容を表示部５１２へ表示させる異常内容表示ボタン５１０ｄ、表示部５１２の表示画面を上下にスクロールさせるスクロールボタン５１０ｅ、リセットボタン５１０ｆ、使用履歴情報を送信する使用履歴ボタン５１０ｇ等が設けられている。
【００３１】
また、この無線式カードリーダライタ５００は、図６に示すように、この無線式カードリーダライタ５００の各種制御を司るＣＰＵ５０２、各種データを記憶するメモリ５０４、変調／復調部５０６、入出力制御部５０８、前記した操作部５１０、前記した表示部５１２の表示制御を司る表示制御部５１６、前記したアンテナ５１４等を備えている。
【００３２】
アンテナ５１４は、無線カードとの間で電波による各種情報の送受信を担うものである。変調／復調部５０６は、送信信号の変調及び受信信号の復調を担うものである。入力制御部５０８は、変調前の送信信号及び復調後の受信信号を規定のデータに変換する処理を担うものである。
【００３３】
ここで、無線カード１０４に記録される情報について説明する。
【００３４】
無線カード１００のメモリ１０４には、図７に示すようなカード情報が記憶される。このカード情報の内訳を大別すると、個別情報と使用履歴情報１〜３となる。個別情報はカード発行時に記録されるものであり、この個別情報には、カード番号及びカード発行会社の情報に加え、使用者、使用期限、及び使用条件に関する情報等が含まれる。使用者に関する情報とは、使用者名、使用者の住所、使用者の電話番号、精算された運賃の引き落とし先（金融機関の口座番号等）等の情報である。使用条件に関する情報とは、使用が認められる区間等の情報である。
【００３５】
また、使用履歴情報１〜３は、本カードが使用される度に記録されるものであり、Ａ社において本カードが使用された場合（無線式自動改札装置２００との間で使用された場合）にはこの使用履歴が使用履歴情報１として記録され、Ｂ社において本カードが使用された場合（無線式カードリーダライタ５００との間で使用された場合）にはこの使用履歴が使用履歴情報２又は３として記録される。この使用履歴情報１〜３には、入出場、使用駅、使用号機、使用日時等の情報が含まれる。
【００３６】
次に、第１の実施形態として、無線式自動改札システムにおける無線カードの運用について説明する。ここでは、図８を参照して、無線カードが使用されるケースをケース１〜ケース１０に分けて説明する。
【００３７】
まず、図２５のフローチャートを参照して、ケース１について説明する。このケース１は、発行された無線カード１００を初めてＡ社（無線式自動改札装置２００）で使用するケースである。当然、このケース１では無線カード１００は入場に使用されることになる。また、このケース１では、無線カード１００の使用履歴情報１〜３は、図９に示すように空白である（使用履歴無し）。
【００３８】
無線カード１００がＡ社で使用されるということは、この実施形態では無線式自動改札装置２００に対して使用されるということである。無線カード１００が無線式自動改札装置２００の２０２通信エリア近傍にかざされると、無線カード１００と無線式自動改札装置２００との間で無線通信が開始される（ＳＴ１０、ＹＥＳ）。このとき、無線カード１００に記憶されているカード情報が、無線カード１００から無線式自動改札装置２００へ送信される。このカード情報は無線式自動改札装置２００で受信され（ＳＴ１２）、無線式自動改札装置２００側でこのカード情報に基づいたカードチェックが実施される（ＳＴ１４）。例えば、カード情報に含まれるカード番号からこのカードが使用可能なものかどうか、カード情報に含まれる使用期限から使用期限が切れていないかどうか、カード情報に含まれる使用条件から各種使用条件により今回の使用が制限されないかどうか等のチェックが実施される。このカードチェックは、ＲＡＭ２２４に記憶された情報を基に通行判定部２２６において実施される。
【００３９】
カードチェックの結果、カードの使用が許可されない場合（ＳＴ１６、ＮＯ）、この無線カード１００による通行は許可されない（ＳＴ３４）。カードチェックの結果、カードの使用が許可されると（ＳＴ１６、ＹＥＳ）、つまり、通行判定部２２６によりこのカードによる通行が許可されると、無線式自動改札装置２００から無線カード１００へ対して使用履歴情報が送信される｛（ＳＴ１８、ＹＥＳ）→（ＳＴ２０）｝。送信された使用履歴情報は、使用履歴情報１として無線カード１００に記録される。このとき、送信される使用履歴情報は、入場に使用されたことを示す入場情報、使用された駅名、使用された無線式自動改札装置２００の号機番号、使用日時等である。仮に、カード番号０００１の無線カード１００が、３月１日の１５：００にＥ駅の号機番号００１０の無線式自動改札装置２００で使用されたとすると、このカード番号００１の無線カード１００の使用履歴情報１は、図１０に示すように記録される。
【００４０】
また、無線式自動改札装置２００から無線カード１００に対して、使用履歴情報の送信が完了すると、ドア制御部２３２によりドア開閉機構２３０が駆動され、ドア２０８が開き通行が許可される（ＳＴ２２）。
【００４１】
その後、無線式自動改札装置２００で受信されたカード情報に含まれるカード個別情報、及びこのカード個別情報を有する無線カード１００に送信された使用履歴情報が、無線式自動改札装置２００から駅制御装置３００を介してホストコンピュータ４００へ送信される（ＳＴ２４）。ホストコンピュータ４００には、図１１に示すような使用履歴情報が管理される。
【００４２】
続いて、同じく図２５のフローチャートを参照して、ケース２について説明する。このケース２は、ケース１の後、Ａ社で（無線式自動改札装置２００）で使用するケースである。つまり、無線カード１００をＡ社で入場に使用し（ケース１）、次に同じくＡ社で出場に使用するケースである。
【００４３】
無線カード１００が無線式自動改札装置２００の通信エリア２０２の近傍にかざされると、無線カード１００と無線式自動改札装置２００との間で無線通信が開始される（ＳＴ１０、ＹＥＳ）。このとき、無線カード１００に記憶されているカード情報が、無線カード１００から無線式自動改札装置２００へ送信される。このカード情報は無線式自動改札装置２００で受信され（ＳＴ１２）、無線式自動改札装置２００側でこのカード情報に基づいたカードチェックが実施される（ＳＴ１４）。このときの（出場時の）カードチェックは、前記したチェック項目に加えて、入場情報のチェックがなされる。カード情報に入場情報が含まれていない場合（出場情報が含まれている場合）には、この無線カード１００での出場は拒否される。
【００４４】
カードチェックの結果、カードの使用が許可されない場合（ＳＴ１６、ＮＯ）、この無線カード１００による通行は許可されない（ＳＴ３４）。カードチェックの結果、カードの使用が許可されると（ＳＴ１６、ＹＥＳ）、つまり、通行判定部２２６によりこのカードによる通行が許可されると、無線式自動改札装置２００から無線カード１００へ対して使用履歴情報が送信される｛（ＳＴ１８、ＹＥＳ）→（ＳＴ２０）｝。送信された使用履歴情報は、使用履歴情報１として無線カード１００に記録される（上書き記録）。このとき、送信される使用履歴情報は、出場に使用されたことを示す出場情報、使用された駅名、使用された無線式自動改札装置２００の号機番号、使用日時等である。仮に、カード番号０００１の無線カード１００が、３月１日の１５：３０にＦ駅の号機番号００２０の無線式自動改札装置２００で使用されたとすると、このカード番号００１の無線カード１００の使用履歴情報１は、図１２に示すように記録される。
【００４５】
また、無線式自動改札装置２００から無線カード１００に対して、使用履歴情報の送信が完了すると、ドア制御部２３２によりドア開閉機構２３０が駆動され、ドア２０８が開き通行が許可される（ＳＴ２２）。
【００４６】
その後、無線式自動改札装置２００で受信されたカード情報に含まれるカード個別情報、及びこのカード個別情報を有する無線カード１００に送信された使用履歴情報が、無線式自動改札装置２００から駅制御装置３００を介してホストコンピュータ４００へ送信される（ＳＴ２４）。ホストコンピュータ４００には、図１３に示すような使用履歴情報が管理される。
【００４７】
続いて、ケース３について説明する。このケース３は、ケース２の後、Ａ社で（無線式自動改札装置２００）で使用するケースである。つまり、無線カード１００をＡ社で出場に使用し（ケース２）、次に同じくＡ社で入場に使用するケースである。
【００４８】
このケース３は、基本的には、ケース１と同じである（ＳＴ１０〜ＳＴ２４）。異なる点は、カードチェック時に出場情報のチェックが加わる点と、使用履歴情報が上書きされる点である。出場情報のチェックでは、前回、確かに出場に使用されたかどうかがチェックされる。
【００４９】
続いて、図２６のフローチャートを参照して、ケース４について説明する。このケース４は、ケース１（又はケース３）の後、Ｂ社（無線式カードリーダライタ５００）で使用するケースである。つまり、無線カード１００をＡ社で入場に使用し（ケース１）、次にＢ社で出場に使用するケースである。
【００５０】
Ｂ社には無線式自動改札装置２００が設置されれおらず、代わりに無線式カードリーダライタ５００が設置されているのが前提である。従って、前回入場に使用した無線カード１００により、Ｂ社の駅で出場しようとする場合には、係員の管理下に置かれた無線式カードリーダライタ５００を利用する必要がある。
【００５１】
つまり、無線カード１００を無線式カードリーダライタ５００のアンテナ５１４の近傍にかざすことにより、無線カード１００と無線式自動改札装置２００との間の無線通信を行わせる（ＳＴ４０、ＹＥＳ）。このとき、無線カード１００に記憶されているカード情報が、無線カード１００から無線式カードリーダライタ５００へ送信される。このカード情報は無線式カードリーダライタ５００で受信され（ＳＴ４２）、無線式カードリーダライタ５００側でこのカード情報に基づいたカードチェックが実施される（ＳＴ４４）。
【００５２】
このとき、無線式カードリーダライタ５００の表示部５１２にカード情報が表示される。係員は、この表示されたカード情報から、この無線カード１００の前回の使用状況をチェックする。このケースでは、前回、この無線カード１００がＡ社で入場に使用されていない場合には、この無線カード１００での出場は拒否される（ＳＴ４６、ＮＯ）。前回、この無線カード１００がＡ社で入場に使用されている場合には、使用履歴送信ボタン５１０Ｇが押下される（ＳＴ４６、ＹＥＳ）。これに伴って、無線式カードリーダライタ５００から無線カード１００へ対して使用履歴情報が送信される｛（ＳＴ４８、ＹＥＳ）→（ＳＴ５０）｝。送信された使用履歴情報は、使用履歴情報２として無線カード１００に記録される。このとき、送信される使用履歴情報は、出場に使用されたことを示す出場情報、使用された駅名、使用された無線式カードリーダライタ５００の号機番号、使用日時等である。仮に、カード番号０００１の無線カード１００が、３月１日の１５：３０にＧ駅の号機番号００３０の無線式カードリーダライタ５００で出場チェックを受けたとすると、このカード番号００１の無線カード１００の使用履歴情報２は、図１４に示すように記録される。
【００５３】
また、無線式カードリーダライタ５００から無線カード１００に対して、使用履歴情報の送信が完了すると、無線式カードリーダライタ５００の表示部５１２に使用履歴送信完了が案内される。これに伴って、係員により出場が許可される。
【００５４】
続いて、同じく図２６を参照して、ケース５について説明する。このケース５は、ケース２の後、Ｂ社（無線式カードリーダライタ５００）で使用するケースである。つまり、無線カード１００をＡ社で出場に使用し（ケース２）、次にＢ社で入場に使用するケースである。
【００５５】
無線カード１００によりＢ社で入場しようとする場合には、係員の指示に従い、係員の管理下に置かれた無線式カードリーダライタ５００を利用する必要がある。つまり、無線カード１００を無線式カードリーダライタ５００のアンテナ５１４の近傍にかざすことにより、無線カード１００と無線式自動改札装置２００との間の無線通信を行わせる（ＳＴ４０、ＹＥＳ）。このとき、無線カード１００に記憶されているカード情報が、無線カード１００から無線式カードリーダライタ５００へ送信される。このカード情報は無線式カードリーダライタ５００で受信され（ＳＴ４２）、無線式カードリーダライタ５００側でこのカード情報に基づいたカードチェックが実施される（ＳＴ４４）。
【００５６】
このとき、無線式カードリーダライタ５００の表示部５１２にカード情報が表示される。係員は、この表示されたカード情報から、この無線カード１００の前回の使用状況をチェックする。前回、この無線カード１００がＡ社で出場に使用されていない場合には、この無線カード１００での入場は拒否される（ＳＴ４６、ＮＯ）。前回、この無線カード１００がＡ社で出場に使用されている場合には、使用履歴送信ボタン５１０Ｇが押下される（ＳＴ４６、ＹＥＳ）。これに伴って、無線式カードリーダライタ５００から無線カード１００へ対して使用履歴情報が送信される｛（ＳＴ４８、ＹＥＳ）→（ＳＴ５０）｝。送信された使用履歴情報は、使用履歴情報２として無線カード１００に記録される。このとき、送信される使用履歴情報は、入場に使用されたことを示す入場情報、使用された駅名、使用された無線式カードリーダライタ５００の号機番号、使用日時等である。仮に、カード番号０００１の無線カード１００が、３月２日の１５：００にＨ駅の号機番号００４０の無線式カードリーダライタ５００で出場チェックを受けたとすると、このカード番号００１の無線カード１００の使用履歴情報２は、図１５に示すように記録される。
【００５７】
また、無線式カードリーダライタ５００から無線カード１００に対して、使用履歴情報の送信が完了すると、無線式カードリーダライタ５００の表示部５１２に使用履歴送信完了が案内される。これに伴って、係員により出場が許可される。
【００５８】
続いて、図２５のフローチャートを参照して、ケース６について説明する。このケース６は、ケース５の後、Ａ社（無線式自動改札装置２００）で使用するケースである。つまり、無線カード１００をＡ社で出場に使用し（ケース２）、次にＢ社で入場に使用し（ケース５）、さらに次にＡ社で出場に使用するケースである。
【００５９】
このケース６における無線カード１００と無線式自動改札装置２００との間の無線通信処理（各種情報の送受信）、及びこの無線通信により送受信された情報に基づく各種処理は基本的にケース２と同じである（ＳＴ１０〜ＳＴ１８（ＮＯ）→ＳＴ２６（ＹＥＳ））。ただ、カードチェック時に実行される入場情報のチェックでは、ケース５での使用履歴（図１５の使用履歴情報２）が入場情報として確認されることになる。また、無線式自動改札装置２００から無線カード１００へ送信される使用履歴情報は、使用履歴情報１として無線カード１００に記録される（上書き記録）。さらに、このとき、無線カード１００に記録されている使用履歴情報２及び３（このとき使用履歴情報３は無記録）が削除される（この時点でこの削除される使用履歴情報２及び３は無線式自動改札装置２００へ送信済み）（ＳＴ２８）。仮に、カード番号０００１の無線カード１００が、３月２日の１５：４０にＦ駅の号機番号００２０の無線式自動改札装置２００で使用されたとすると、このカード番号００１の無線カード１００の使用履歴情報１は、図１６に示すように記録される。使用履歴情報の送信完了後に、ドア制御部２３２によりドア開閉機構２３０が駆動されドア２０８が開き通行が許可される（ＳＴ３０）。
【００６０】
その後、無線式自動改札装置２００で受信されたカード情報に含まれるカード個別情報、及びこのカード個別情報を有する無線カード１００に送信された使用履歴情報が、無線式自動改札装置２００から駅制御装置３００を介してホストコンピュータ４００へ送信される（ＳＴ３２）。ホストコンピュータ４００には、図１７に示すような使用履歴情報が管理される。
【００６１】
ここで、注目すべき点は、ケース６における使用履歴に加えてケース５における使用履歴がホストコンピュータ４００へ送られている点である。つまり、無線カード１００がＢ社（無線式カードリーダライタ５００）で使用された場合、このときの使用履歴は無線カード１００のみに記録される（ケース５）。その後、Ａ社（無線式自動改札装置２００）で使用されたときに、このＡ社での使用履歴に加えて無線カード１００に記録されている前回のＢ社での使用履歴が、無線式自動改札装置２００を介してホストコンピュータ４００へ送信される（ケース６）ということである。
【００６２】
これにより、Ｂ社の設備（無線式カードリーダライタ５００）と直接接続されていないＡ社のホストコンピュータ４００において、Ａ社での使用履歴に加えＢ社での使用履歴情報を管理することができる。勿論、この場合、無線カード１００が、Ａ社のホストコンピュータ４００に接続されている無線式自動改札装置２００で使用されることが前提となる。言い換えれば、無線式カードリーダライタ５００を設置すれば、ホストコンピュータ４００と直接接続されていなくてもこのホストコンピュータ４００により、無線式カードリーダライタ５００における無線カード１００の使用履歴（Ｂ社での入出場）を管理することが可能となる。つまり、この実施形態で登場するＢ駅には、ホストコンピュータ４００に接続された無線式自動改札装置２００を設置しなくても、無線式カードリーダライタ５００を単独で設置するだけで、Ｂ駅において無線カード１００の使用が可能となる。また、無線式カードリーダライタ５００は、無線式自動改札装置２００に比べて低コストで実現できる点にもメリットがある。
【００６３】
続いて、同じく図２５を参照のフローチャートを参照して、ケース７について説明する。このケース７は、ケース４の後、Ａ社（無線式自動改札装置２００）で使用するケースである。つまり、無線カード１００をＡ社で入場に使用し（ケース１）、次にＢ社で出場に使用し（ケース４）、さらに次にＡ社で入場に使用するケースである。
【００６４】
このケース７における無線カード１００と無線式自動改札装置２００との間の無線通信処理（各種情報の送受信）、及びこの無線通信により送受信された情報に基づく各種処理は基本的にケース３と同じである（ＳＴ１０〜ＳＴ１８（ＮＯ）→ＳＴ２６（ＹＥＳ））。ただ、カードチェック時に実行される出場情報のチェックでは、ケース４での使用履歴（図１４の使用履歴情報２）が出場情報として確認されることになる。また、無線式自動改札装置２００から無線カード１００へ送信される使用履歴情報は、使用履歴情報１として無線カード１００に記録される（上書き記録）。さらに、このとき、無線カード１００に記録されている使用履歴情報２及び３（このとき使用履歴情報３は無記録）が削除される（この時点でこの削除される使用履歴情報２及び３は無線式自動改札装置２００へ送信済み）（ＳＴ２８）。仮に、カード番号０００１の無線カード１００が、３月２日の１５：２０にＦ駅の号機番号００１５の無線式自動改札装置２００で使用されたとすると、このカード番号００１の無線カード１００の使用履歴情報１は、図１８に示すように記録される。使用履歴情報の送信完了後に、ドア制御部２３２によりドア開閉機構２３０が駆動されドア２０８が開き通行が許可される（ＳＴ３０）。
【００６５】
その後、無線式自動改札装置２００で受信されたカード情報に含まれるカード個別情報、及びこのカード個別情報を有する無線カード１００に送信された使用履歴情報が、無線式自動改札装置２００から駅制御装置３００を介してホストコンピュータ４００へ送信される（ＳＴ３２）。ホストコンピュータ４００には、図１９に示すような使用履歴情報が管理される。
【００６６】
ここで、注目すべき点は、ケース７における使用履歴に加えてケース４における使用履歴がホストコンピュータ４００へ送られている点である。つまり、無線カード１００がＢ社（無線式カードリーダライタ５００）で使用された場合、このときの使用履歴は無線カード１００のみに記録される（ケース４）。その後、Ａ社（無線式自動改札装置２００）で使用されたときに、このＡ社での使用履歴に加えて無線カード１００に記録されている前回のＢ社での使用履歴が、無線式自動改札装置２００を介してホストコンピュータ４００へ送信される（ケース７）ということである。この場合にも、ケース６で説明したような作用・効果が得られる。
【００６７】
続いて、図２６のフローチャートを参照して、ケース８について説明する。このケース８は、ケース４の後、Ｂ社（無線式自動改札装置２００）で使用するケースである。つまり、無線カード１００をＡ社で入場に使用し（ケース１）、次にＢ社で出場に使用し（ケース４）、さらに次にＢ社で入場に使用するケースである。
【００６８】
この場合には、係員の管理下に置かれた無線式カードリーダライタ５００を利用する必要がある。つまり、無線カード１００を無線式カードリーダライタ５００のアンテナ５１４の近傍にかざすことにより、無線カード１００と無線式自動改札装置２００との間の無線通信を行わせる（ＳＴ４０、ＹＥＳ）。このとき、無線カード１００に記憶されているカード情報が、無線カード１００から無線式カードリーダライタ５００へ送信される。このカード情報は無線式カードリーダライタ５００で受信され（ＳＴ４２）、無線式カードリーダライタ５００側でこのカード情報に基づいたカードチェックが実施される（ＳＴ４４）。
【００６９】
このとき、無線式カードリーダライタ５００の表示部５１２にカード情報が表示される。係員は、この表示されたカード情報から、この無線カード１００の前回の使用状況をチェックする。このケースでは、前回、この無線カード１００がＢ社で出場に使用されていない場合には、この無線カード１００での入場は拒否される（ＳＴ４６、ＮＯ）。前回、この無線カード１００がＢ社で出場に使用されている場合には、使用履歴送信ボタン５１０Ｇが押下される（ＳＴ４６、ＹＥＳ）。これに伴って、無線式カードリーダライタ５００から無線カード１００へ対して使用履歴情報が送信される｛（ＳＴ４８、ＹＥＳ）→（ＳＴ５０）｝。送信された使用履歴情報は、使用履歴情報３として無線カード１００に記録される（使用履歴情報２は残される）。使用履歴情報２及び３には上書き記録ができないようになっているため、使用履歴が記録されている使用履歴情報２には今回の使用履歴を記録することはできない。このとき、送信される使用履歴情報は、出場に使用されたことを示す出場情報、使用された駅名、使用された無線式カードリーダライタ５００の号機番号、使用日時等である。仮に、カード番号０００１の無線カード１００が、３月２日の１５：１０にＧ駅の号機番号００３０の無線式カードリーダライタ５００で入場チェックを受けたとすると、このカード番号００１の無線カード１００の使用履歴情報３は、図２０に示すように記録される。
【００７０】
また、無線式カードリーダライタ５００から無線カード１００に対して、使用履歴情報の送信が完了すると、無線式カードリーダライタ５００の表示部５１２に使用履歴送信完了が案内される。これに伴って、係員により入場が許可される。
【００７１】
続いて、図２５のフローチャートを参照して、ケース９について説明する。このケース９は、ケース８の後、Ａ社（無線式自動改札装置２００）で使用するケースである。つまり、無線カード１００をＡ社で入場に使用し（ケース１）、次にＢ社で出場に使用し（ケース４）、さらに次にＢ社で入場に使用し（ケース８）、またさらに次にＡ社で出場に使用するケースである。
【００７２】
このケース９における無線カード１００と無線式自動改札装置２００との間の無線通信処理（各種情報の送受信）、及びこの無線通信により送受信された情報に基づく各種処理は基本的にケース２と同じである（ＳＴ１０〜ＳＴ１８（ＮＯ）→ＳＴ２６（ＹＥＳ））。ただ、カードチェック時に実行される入場情報のチェックでは、ケース８での使用履歴（図２０の使用履歴情報２）が入場情報として確認されることになる。また、無線式自動改札装置２００から無線カード１００へ送信される使用履歴情報は、使用履歴情報１として無線カード１００に記録される（上書き記録）。さらに、このとき、無線カード１００に記録されている使用履歴情報２及び３が削除される（この時点でこの削除される使用履歴情報２及び３は無線式自動改札装置２００へ送信済み）（ＳＴ２８）。仮に、カード番号０００１の無線カード１００が、３月３日の１５：１５にＦ駅の号機番号００２５の無線式自動改札装置２００で使用されたとすると、このカード番号００１の無線カード１００の使用履歴情報１は、図２１に示すように記録される。使用履歴情報の送信完了後に、ドア制御部２３２によりドア開閉機構２３０が駆動されドア２０８が開き通行が許可される（ＳＴ３０）。
【００７３】
その後、無線式自動改札装置２００で受信されたカード情報に含まれるカード個別情報、及びこのカード個別情報を有する無線カード１００に送信された使用履歴情報が、無線式自動改札装置２００から駅制御装置３００を介してホストコンピュータ４００へ送信される（ＳＴ３２）。ホストコンピュータ４００には、図２２に示すような使用履歴情報が管理される。
【００７４】
ここで、注目すべき点は、ケース９における使用履歴に加えてケース４及びケース８における使用履歴がホストコンピュータ４００へ送られている点である。つまり、無線カード１００がＢ社（無線式カードリーダライタ５００）で使用された場合、このときの使用履歴は無線カード１００のみに記録される（ケース４及びケース８）。その後、Ａ社（無線式自動改札装置２００）で使用されたときに、このＡ社での使用履歴に加えて無線カード１００に記録されている前回のＢ社での使用履歴が、無線式自動改札装置２００を介してホストコンピュータ４００へ送信される（ケース９）ということである。この場合、ケース６で説明したような作用・効果が得られる。
【００７５】
続いて、図２６のフローチャートを参照して、ケース１０について説明する。このケース１０は、発行された無線カード１００を初めてＢ社（無線式カードリーダライタ５００）で使用するケースである。当然、このケース１０では無線カード１００は入場に使用されることになる。また、このケース１では、無線カード１００の使用履歴情報１〜３は、図９に示すように空白である（使用履歴無し）。
【００７６】
このケース１０における無線カード１００と無線式自動改札装置２００との間の無線通信処理（各種情報の送受信）、及びこの無線通信により送受信された情報に基づく各種処理は基本的にケース５と同じである（ＳＴ４０〜ＳＴ５０）。ただ、カードチェック時に、出場情報のチェックはなされない（初使用のため）。また、無線式カードリーダライタ５００から無線カード１００に対して送信される使用履歴情報は、使用履歴情報２として無線カード１００に記録される。このとき、送信される使用履歴情報は、入場に使用されたことを示す入場情報、使用された駅名、使用された無線式カードリーダライタ５００の号機番号、使用日時等である。仮に、カード番号０００１の無線カード１００が、３月１日の１５：００にＧ駅の号機番号００１５の無線式カードリーダライタ５００で入場チェックを受けたとすると、このカード番号００１の無線カード１００の使用履歴情報２は、図２０に示すように記録される。
【００７７】
また、無線式カードリーダライタ５００から無線カード１００に対して、使用履歴情報の送信が完了すると、無線式カードリーダライタ５００の表示部５１２に使用履歴送信完了が案内される。これに伴って、係員により入場が許可される。
【００７８】
また、この第１の実施形態では、無線カード１００により、Ｂ社で入場してＢ社で出場することはできない。このような使用形態を取ろうとした場合、Ｂ社での出場時に係員により出場が止められることになる。
【００７９】
さらに、ここで、ホストコンピュータ４００での精算処理について簡単に説明する。例えば、ケース１→ケース４→ケース８→ケース９の順に無線カード１００が使用された場合について説明する。この場合、図２２に示すような使用履歴情報が、ホストコンピュータ４００で管理されている。この情報を基にして精算処理がなされる。その結果、図２４に示すような精算書が出力されることになり、この精算書にに基づき所定の金融機関口座から利用金額が引き落とされることになる。
【００８０】
なお、上記第１の実施形態では、使用履歴ボタン５１０Ｇの押下に伴って、無線カードリーダライタ５００から無線カード１００に対して使用履歴情報が送信されるものとして記載したが、使用履歴ボタン５１０Ｇの操作を省略可能なものとしてもよい。つまり、無線カードリーダライタ５００により、無線カード１００の使用履歴情報を読み取り、この使用履歴情報からこの無線カード１００の使用状況を判断し、正規に使用されていることが判明したときには、自動的に無線カードリーダライタ５００から無線カード１００に対して使用履歴情報を送信するようにする。これにより、正規使用の無線カード１００の場合には、特別な操作を必要とせずに処理することができる。
【００８１】
次に、第２の実施形態として、無線式自動改札システムにおける無線カード１００の運用について説明する。
【００８２】
上記説明した第１の実施形態では、無線カード１００によりＢ社で入場しＢ社で出場することは禁止されていた。この第２の実施形態では、以下のようにして、無線カード１００によりＢ社で入場しＢ社で出場することを可能とした。
【００８３】
まず、無線式カードリーダライタ５００のメモリ５０４にＢ社内における運賃データを持たせる。さらに、無線カード１００によりＢ社で入場しＢ社で出場する際、この無線カード１００に記録されている履歴情報（Ｂ社での入場情報）、及びメモリに記憶されている運賃情報から今回の運賃を算出して、無線式カードリーダライタ５００の表示部５１２に表示させるようにする。これにより、出場時に、係員対応の現金精算とすることが可能となる。なお、上記した運賃の算出処理は、ＣＰＵ５０２により行われるものとする。
【００８４】
ここで、上記説明したこの発明の無線通信システムによる作用・効果についてまとめる。
【００８５】
無線式カードリーダライタ５００は、無線式自動改札装置２００に比べ一般的に小型かつ安価に製造することが可能なものである。このため、無線式自動改札装置２００を設置していない路線（駅）において、この小型かつ安価な無線式カードリーダライタ５００を設置することにより、無線通信による自動改札処理の適用範囲を広げることができる。言い換えると、無線式自動改札装置２００を設置していない路線（駅）での係員の負担を軽減することもできる。
【００８６】
また、この無線式カードリーダライタ５００に精算情報及び精算機能を持たせることにより、無線カード１００の使用範囲をさらに広げることもできる。
【００８７】
【発明の効果】
この発明によれば、情報処理装置において（ホストコンピュータ４００）、この情報処理装置に対して直接接続されていない無線通信装置（無線式カードリーダライタ５００）と無線式情報記憶媒体（無線カード１００）との間のやり取りを示す情報を受信することができる無線通信システム及び無線通信方法が提供される。
【図面の簡単な説明】
【図１】この発明の無線通信システムを利用した無線式自動改札システムの概略を示す図である。
【図２】図１に示す無線カードの概略構成を示す図である。
【図３】図１に示す無線式自動改札装置の外観を示す図である。
【図４】図１に示す無線式自動改札装置の概略構成を示す図である。
【図５】図１に示す無線式カードリーダライタの外観を示す図である
【図６】図１に示す無線カードリーダライタの概略構成を示す図である。
【図７】図１に示す無線カードに記憶されるカード情報を説明するための図である。
【図８】無線カードの使用形態を説明するための図である。
【図９】未使用時の状態の無線カードに記憶されたカード情報を示す図である。
【図１０】ケース１において使用された後の状態の無線カードのカード情報を示す図である。
【図１１】ケース１において無線カードが使用された状況が管理されている様子を示す図である。
【図１２】ケース１→ケース２において使用された後の状態の無線カードのカード情報を示す図である。
【図１３】ケース１→ケース２において無線カードが使用された状況が管理されている様子を示す図である。
【図１４】ケース１→ケース４において使用された後の状態の無線カードのカード情報を示す図である。
【図１５】ケース２→ケース５において使用された後の状態の無線カードのカード情報を示す図である。
【図１６】ケース２→ケース５→ケース６において使用された後の状態の無線カードのカード情報を示す図である。
【図１７】ケース２→ケース５→ケース６において無線カードが使用された状況が管理されている様子を示す図である。
【図１８】ケース１→ケース４→ケース７において使用された後の状態の無線カードのカード情報を示す図である。
【図１９】ケース１→ケース４→ケース７において無線カードが使用された状況が管理されている様子を示す図である。
【図２０】ケース１→ケース４→ケース８において使用された後の状態の無線カードのカード情報を示す図である。
【図２１】ケース１→ケース４→ケース８→ケース９において使用された後の状態の無線カードのカード情報を示す図である。
【図２２】ケース１→ケース４→ケース８→ケース９において無線カードが使用された状況が管理されている様子を示す図である。
【図２３】ケース１０において使用された後の状態の無線カードのカード情報を示す図である。
【図２４】精算書の一例を示す図である。
【図２５】無線式自動改札装置における無線通信を説明するフローチャートである。
【図２６】無線式カードリーダライタにおける無線通信を説明するフローチャートである。
【符号の説明】
１００…無線カード
２００…無線式自動改札装置
３００…駅制御装置
４００…ホストコンピュータ
５００…無線式カードリーダライタ
【図１】
0003930097.tif 000002
【図２】
0003930097.tif 000003
【図３】
0003930097.tif 000004
【図４】
0003930097.tif 000005
【図５】
0003930097.tif 000006
【図６】
0003930097.tif 000007
【図７】
0003930097.tif 000008
【図８】
0003930097.tif 000009
【図９】
0003930097.tif 000010
【図１０】
0003930097.tif 000011
【図１１】
0003930097.tif 000012
【図１２】
0003930097.tif 000013
【図１３】
0003930097.tif 000014
【図１４】
0003930097.tif 000015
【図１５】
0003930097.tif 000016
【図１６】
0003930097.tif 000017
【図１７】
0003930097.tif 000018
【図１８】
0003930097.tif 000019
【図１９】
0003930097.tif 000020
【図２０】
0003930097.tif 000021
【図２１】
0003930097.tif 000022
【図２２】
0003930097.tif 000023
【図２３】
0003930097.tif 000024
【図２４】
0003930097.tif 000025
【図２５】
0003930097.tif 000026
【図２６】
0003930097.tif 000027